(57)【要約】【課題】メンテナンスを要することなく静粛性と排出効率を確保しつつ、接続プレートの内周面に付着堆積する塵埃に基づく障害の発生を小さく抑えることができる穀物乾燥機における乾燥風吸引用斜流ファンを提供する。【解決手段】穀物乾燥機における乾燥風吸引用斜流ファン１は、回転駆動される回転軸７に取付けた複数の羽根９…と、これら複数の羽根９…の外周端を接続して次第に拡径しつつ周回支持する接続プレート１１と、この接続プレート１１の外周面に臨んで乾燥機の穀物乾燥部から吸引される乾燥風を次第に拡径しつつ上記回転軸線に沿ってその後方にガイドするケーシング３とから構成され、上記接続プレート１１には、その内外を貫通する１以上の抜穴１３…を形成し、それぞれの抜穴１３…は、穀物乾燥部から放散される塵埃が通過しうる径寸法に形成する。【選択図】      図３
2004257576.tif 000002
【特許請求の範囲】
【請求項１】
回転駆動される回転軸に放射状に取付けた複数の羽根と、これら複数の羽根の外周端を接続して次第に拡径しつつ周回状に支持する接続プレートと、この接続プレートの外周面に臨んで乾燥機の穀物乾燥部から吸引される乾燥風を次第に拡径しつつ上記回転軸線に沿ってその後方にガイドするケーシングとからなる穀物乾燥機における乾燥風吸引用斜流ファンにおいて、
上記接続プレートには、その内外を貫通する１以上の抜穴を形成し、該抜穴は、穀物乾燥部から放散される塵埃が通過しうる径寸法に形成してなることを特徴とする穀物乾燥機における乾燥風吸引用斜流ファン。
【請求項２】
前記羽根には、その前後を貫通する抜穴を形成し、この抜穴は、穀物乾燥部から放散される塵埃が通過しうる径寸法で接続プレートに沿って配置してなることを特徴とする請求項１記載の穀物乾燥機における乾燥風吸引用斜流ファン。
【請求項３】
前記羽根の外周端には、接続プレートに重ねて接続固定するための折曲部を形成し、この折曲部とともに接続プレートにその内外を貫通する１以上の抜穴を形成し、それぞれの抜穴は、穀物乾燥部から放散される塵埃が通過しうる径寸法に形成してなることを特徴とする請求項１記載の穀物乾燥機における乾燥風吸引用斜流ファン。
【発明の詳細な説明】
【０００１】
【発明の属する技術分野】
本発明は、穀物乾燥機に取付けられてその乾燥用風を吸引排出する穀物乾燥機における乾燥風吸引用斜流ファンに関し、特に、メンテナンスを要することなく静粛性と排出効率を確保しつつ、接続プレートの内周面に付着堆積する塵埃に基づく障害の発生を小さく抑えることができる穀物乾燥機における穀物乾燥機における乾燥風吸引用斜流ファンに関する。
【０００２】
【従来の技術】
従来、穀物乾燥機に取付けられて乾燥風を吸引排出する穀物乾燥風吸引用斜流ファンが知られている。この斜流ファンは、回転駆動される回転軸に取付けた複数の羽根と、これら複数の羽根の外周端を接続して拡径しつつ周回状に支持する接続プレートと、この接続プレートの外周面に臨んで穀物乾燥部から吸引される乾燥風を次第に拡径しつつガイドするケーシングとから構成される。このように構成された斜流ファンは、穀物乾燥機の乾燥部から大流量の乾燥用熱風を低騒音で効率よく吸引排出することにより、穀物乾燥機の低騒音化と大容量高速処理を可能とする。
【特許文献１】特開平９−１９６５６１号公報
【０００３】
【発明が解決しようとする課題】
しかしながら、上記構成の斜流ファンは、乾燥対象の籾粒から脱落する枝梗等の異物を含む塵埃とともに乾燥風を吸引排出する環境下において稼動した場合に、吸引した穀物乾燥風中の異物を含む塵埃が遠心作用によって外周方向に飛び散り、接続プレートの内周面に付着堆積することから、長期間にわたって接続プレートに付着堆積した塵埃に基づく障害、例えば、振動、騒音の発生のみならず、効率低下による乾燥処理時間の増大が避けられなかった。この問題を解決するには、定期的な煩わしい分解メンテナンスによらざるを得ない。
【０００４】
本発明の目的は、穀物乾燥機に取付けられてその乾燥風を吸引排出する斜流ファンにおいて、メンテナンスを要することなく静粛性と排出効率を確保しつつ、接続プレートの内周面に付着堆積する塵埃に基づく障害の発生を小さく抑えることができる穀物乾燥機における乾燥風吸引用斜流ファンを提供することにある。
【０００５】
【課題を解決するための手段】
上記課題を解決するために、請求項１に係る発明は、回転駆動される回転軸に取付けた複数の羽根と、これら複数の羽根の外周端を接続して次第に拡径しつつ周回支持する接続プレートと、この接続プレートの外周面に臨んで乾燥機の穀物乾燥部から吸引される乾燥風を次第に拡径しつつ回転軸線に沿ってその後方にガイドするケーシングとからなる穀物乾燥機における乾燥風吸引用斜流ファンにおいて、上記接続プレートには、その内外を貫通する１以上の抜穴を形成し、それぞれの抜穴は、穀物乾燥部から放散される塵埃が通過しうる径寸法に形成してなることを特徴とする。
【０００６】
この斜流ファンの接続プレートは、羽根の外周を支持しつつ乾燥風を拡径方向にガイドして効率よく吸引排出する。この乾燥風に含まれる塵埃は、遠心作用によって外周方向に飛び散り、その内の接続プレートの抜穴に臨むものは抜穴を通過し、ケーシングに沿う乾燥風の流れによって搬送排出されることから、接続プレートの抜穴面積に応じてその内周面における塵埃の付着堆積を小さく抑えることができる。
【０００７】
請求項２に係る発明は、前記羽根には、その前後を貫通する抜穴を形成し、この抜穴は、穀物乾燥部から放散される塵埃が通過しうる径寸法で接続プレートに沿って配置してなることを特徴とする。この斜流ファンの羽根の前面によって送り出される乾燥風の流れは、接続プレートに沿って形成した抜穴からその後面に吹出して接続プレートの内周面に及び、この吹出した乾燥風の流れにより、接続プレートの内周面に付着堆積した塵埃が吹き飛ばされる。
【０００８】
請求項３に係る発明は、前記羽根の外周端には、接続プレートに重ねて接続固定するための折曲部を形成し、この折曲部とともに接続プレートにその内外を貫通する１以上の抜穴を形成し、それぞれの抜穴は、穀物乾燥部から放散される塵埃が通過しうる径寸法に形成してなることを特徴とする。この斜流ファンの接続プレートは、羽根の折曲部を含めて広い範囲にわたり抜穴を形成することができるので、塵埃の付着堆積を更に小さく抑えることができる。
【０００９】
【発明の効果】
本発明の穀物乾燥機における乾燥風吸引用斜流ファンは以下の効果を奏する。上記穀物乾燥機における乾燥風吸引用斜流ファンは、接続プレートに抜き穴を形成してこの抜穴面積に応じてその内周面における塵埃の付着堆積が小さく抑えられることから、上記構成の穀物乾燥機における乾燥風吸引用斜流ファンは、乾燥対象の籾粒から脱落する枝梗等の異物を含む塵埃とともに乾燥風を吸引排出する環境下においても、メンテナンスを要することなく、接続プレートの内周面に付着堆積した塵埃に基づく障害、例えば、振動、騒音の発生を小さく抑えつつ、静粛性と排出効率に優れる斜流ファンの特性を維持することができる。
【００１０】
前記羽根の抜穴から吹出す乾燥風の流れにより、接続プレートの内周面に付着堆積した塵埃を吹き飛ばすようにした場合は、羽根と接続プレートとが形成するコーナに滞留する塵埃が排出されるので、塵埃の付着堆積を更に小さく抑えることができる。
【００１１】
前記羽根の外周端の接続折曲部とともに接続プレートの広い範囲にわたり抜穴を形成した場合は、塵埃の付着堆積を更に小さく抑えて斜流ファンの安定運転が可能となる。
【００１２】
【発明の実施の形態】
上記技術思想に基づき具体的に構成された実施の形態について以下に図面を参照しつつ説明する。
【００１３】
本発明に係る穀物乾燥機における乾燥風吸引用斜流ファンの縦断面図を図１に示す。図１において、穀物乾燥機に適用する斜流ファン１は、略円筒状のケーシング３とその中心に保持した内胴５等から固定側を構成し、また、内胴５の中心に軸支した回転軸７にハブ７ａを介して複数の羽根９…を備え、これらの羽根９…の外周端を接続するいわゆる「陣笠」状の接続プレート１１で周回固定することにより回転側を構成する。
【００１４】
固定側のケーシング３は、小径の先端部を乾燥機Ａ本体に取付け、次第に拡径するテーパ部３ａを備える。回転側は、ケーシング３のテーパ部３ａに近接して接続プレート１１を配置し、また、図２の正面図に示すように、接続プレート１１とハブ７ａとの間に複数の羽根９…を半径線に対して傾斜配置することにより、拡径しつつ軸線に沿って後方に向かう斜流線による送出流路を形成する。
【００１５】
接続プレート１１には、図３の回転側の拡大縦断面図に示すように、その内外を貫通する１以上の抜穴１３…を形成し、それぞれの抜穴１３…は、乾燥機Ａの穀物乾燥部から放散される籾の枝梗等の異物を含む塵埃が通過しうる径寸法に形成する。接続プレート１１の具体的な構成例として、図４（ａ）の展開図に示す抜穴１３…を形成した部分プレート１１ａを板取りし、これを８枚接続することにより、図４（ｂ）の側面図に示す截頭円錐面からなる接続プレート１１を構成する。
【００１６】
接続プレート１１と各羽根９…との接続部は、図５の斜視図に示すように、各羽根９…の外周端に、接続プレート１１に重ねて接続固定するための折曲部９ａを形成し、この折曲部９ａとともに接続プレート１１にその内外を貫通する抜穴１３ａ…を形成する。また、各羽根９…には、その前後を貫通する抜穴９ｂ…を形成し、この抜穴９ｂ…は、穀物乾燥部から放散される塵埃が通過しうる径寸法で折曲部９ａの折曲線に沿って細長く形成し、折曲部９ａの抜穴１３ａ…に干渉しない範囲に配置する。各羽根９…については、撥水塗装や自動車用ワックス等に準じた撥水皮膜を形成することによりその表面に撥水処理を施す。
【００１７】
上記構成の斜流ファン１の具体的な適用態様は、図６の穀物乾燥機２１の縦断側面図に示すように、穀物乾燥機２１は、穀物を調質貯留する貯留室２３と、その下部を横断するように架け渡した通気乾燥部２５と、その下方に形成した遠赤外線放射室兼用の集穀室２７等を備えて構成される。通気乾燥部２５には排気ダクト２５ａを介して上記斜流ファン１を取付ける。集穀室２７には遠赤外線放射体２９が配置され、この遠赤外線放射体２９から供給された熱風は、斜流ファン１により乾燥部２５に吸引され、この乾燥部２５に受けた穀物を加熱乾燥させつつ排気ダクト２５ａに集められて穀物乾燥機２１の背面側に排出される。
【００１８】
詳細には、図７の乾燥機の断面正面図のように、穀物乾燥機２１の機枠内部は、上部から貯留室２３、通風乾燥室２５、遠赤外線放射室兼用の集穀室２７の順に形成される。
機枠２１の外側には集穀室２７からの穀物を上部の貯留室２３に向け循環移送するための昇降機４６を設けてある。
【００１９】
通風乾燥室２５は、左右の山形案内板６１，６１の下端部付近から通気性多孔板によって傾斜状の穀物流下通路６２，６２…を左右にそれぞれ逆Ｖ字状を呈するように設けている。この流下通路６２，６２…を構成することによって断面菱型に形成された空間は機枠２１後部に設ける排風ファン１に連通させて排風室６３，６３に構成すると共に、穀物流下通路６２，６２…を挟んで中央及び左右側部に形成される空間部は熱風室２７，２７ａ，２７ａに構成する。
【００２０】
集穀室２７には、上記穀物流下通路６２，６２…の下端側部分と、左右中央に位置させて遠赤外線発生装置２９を配設している。４３，４３は繰出バルブであり、専用のバルブモータ（図示せず）によって右・左回転に切替え連動する。繰出バルブ４３，４３から繰出される穀物は傾斜案内板４５，４５を流下しながら遠赤外線発生装置２９からの遠赤外線放射熱を受ける構成である。
【００２１】
遠赤外線発生装置２９は、図８の斜視図に示すように、バーナ７１と、表面に遠赤外線放射塗料が塗付され内部の加熱によって遠赤外線を放射する放射体７２と、該放射体７２に内装した外気混合筒体部７３等からなる。
このうち、放射体７２は、外気混合筒体部７３の左右及び底面を囲うように設けられ、バーナ７１で発生した熱風を通気させる通気部を中央通気部７４と横通気部７５，７５とに構成して設け、このうち中央通気部７４断面積が機体正面側から後面側に至るに従い順次縮小すべく上記外気混合筒体部７３の底壁は漸次下方傾斜に形成される。７６，７６…は、上記バーナ熱風の移行に抵抗を付与すべく設ける抵抗板である。
【００２２】
上記外気混合筒体部７３は、正面側の開口７７から傾斜状に形成された導入ダクト部７８を介して外気を内部に導入可能に構成し、筒体部７３の後面側の開口７９からも外気を導入可能に構成している。
機体２１の後部側において、外気混合筒体部７３とバーナ熱風の通気部７４、７５、７５とを連通する連通孔８０を形成する。外気混合筒体部７３の上方は、略全面が開放状態とされ、連通孔８０からのバーナ熱風（廃熱）と上記外気との混合風が上方に抜ける構成である。
５３，５３は、放射体７２の上記横通気部７５，７５を経由したバーナ熱風（廃熱）の一部を左右側の熱風室２７ａ，２７ａへ供給すべく連通する案内ダクトである。
８２は山形の塵埃防止板で、前記混合風はこの塵埃防止板８２を迂回して中央の熱風室２７に達する構成である。
【００２３】
上記斜流ファン１は、穀物乾燥風を吸引する運転環境において、上述のように構成することにより、接続プレート１１が羽根９…の外周を支持しつつ乾燥風を拡径方向にガイドして効率よく吸引排出を行う。この乾燥風に含まれる塵埃は、遠心作用によって外周方向に飛び散り、その内の接続プレート１１の抜穴１３…に臨むものはその抜穴１３…を通過し、ケーシング３に沿う乾燥風の流れによって搬送排出されることから、接続プレート１１の抜穴面積に応じてその内周面における塵埃の付着堆積が小さく抑えられる。
【００２４】
したがって、上記構成の穀物乾燥機における乾燥風吸引用斜流ファン１は、乾燥対象の籾粒から脱落する枝梗等の異物を含む塵埃とともに乾燥風を吸引排出する環境下において、メンテナンスを要することなく、接続プレート１１の内周面に付着堆積した塵埃に基づく障害、例えば、振動、騒音の発生を小さく抑えつつ、静粛性と排出効率に優れる斜流ファンの特性を維持することができる。
【００２５】
羽根９…の外周端の折曲部９ａとともに接続プレート１１の内外を貫通する抜穴１３ａは、各羽根９の折曲部９ａを含めた広い範囲にわたることから、塵埃の付着堆積を更に小さく抑えることができる。
【００２６】
羽根９…の前後を貫通する抜穴９ｂ…は、穀物乾燥部から放散される塵埃が通過しうる径寸法で折曲線に沿って配置することにより、羽根９…の前面によって送り出される乾燥風の流れが、抜穴９ｂ…からその後面に吹出して接続プレート１１の内周面に及び、この吹出した乾燥風の流れにより、接続プレート１１の内周面に付着堆積した塵埃が吹き飛ばされるので、羽根９…と接続プレート１１とが形成するコーナに滞留する塵埃が排出されて塵埃の付着堆積を更に小さく抑えることができる。
【００２７】
また、羽根９…の表面を撥水処理することにより、結露によって表面に発生する水滴をはじき落とし、接続プレート１１の抜穴１３…から排出することができるので、塵埃の付着を抑えることができる。
【００２８】
つぎに、穀物乾燥機の貯留室の構成について説明する。貯留室２３は、四方を囲む壁によって構成され、対向する壁面間に補強材として張棒を備える。この張棒を壁板に支える接続部は、図９の分解斜視図および図１０の断面図に示すように、壁板３１とその補強用の柱材３３と係止部材３５等によって構成される。壁板３１の外側に添えるべき柱材３３には穴３３ａを形成して前後に貫通し、この穴３３ａに略Ｌ字状に屈曲した係止部材３５を貫入し、背面から上向き突出した状態で柱材３３に一体に固着する。柱材３３と係止部材３５との間の固定方法は、係止部材３５の端部に大径の基部３５ａを形成し、この基部３５ａに柱材３３と接するように溶接用の小突起３５ｂ…を事前に形成することにより、外観、強度等に優れるプロジェクション溶接等の固定手段を適用することができる。
【００２９】
一方、壁板３１には、柱材３３の背面に突出する係止部材３５を受け入れうる長穴３１ａを縦長に形成し、その外側に柱材３３を添えるように取付けることによって壁板３１の内側に係止部材３５が上向きに装着される。張棒３７の端部には、その直径線に沿う穴３７ａを形成し、この穴３７ａを係止部材３５に合わせて嵌合することにより、張棒３７の端部を壁板３１に係止することができる。
【００３０】
上記構成の張棒３７と壁板３１との接続部の構成は、簡易なプロジェクション溶接が適用できるので、塗装による外観性および強度を確保するとともに、簡易な構成により組み付け時の作業性を向上することができる。
【００３１】
つぎに、穀物乾燥機の集穀室の構成について説明する。前述の図７に示すように、穀物乾燥機２１の集穀室２７の前側は、フロントパネル４１によって画成され、内部には、乾燥部２５の下部に備えた左右の操出装置４３，４３とその下方で穀粒を受ける傾斜ガイド４５，４５および昇降機４６に到る螺旋搬送４６ａを備えるとともに、熱風を供給する遠赤外線照射体４７を中央に備える。この熱風は、後述のリヤパネル側の熱風ダクトを介して左右の集穀室２７ａ，２７ａにも供給される。
【００３２】
このようにフロントパネル４１は、集穀室２７の前側を構成するとともに、同フロントパネル４１には、図１１の要部拡大図に示すように、左右の集穀室２７ａ，２７ａに内外を連通する上部通気孔群４９を形成するとともに、左右の集穀室２７ａ，２７ａに設けたプロテクタ４５ａに沿うように各操出装置４３に近接する範囲に直列配置の下部通気孔群４９ａを形成する。上部通気孔群４９は、集穀室２７ａへの給気をバランスさせるものであり、また、下部通気孔群４９ａは、フロントパネル４１と各プロテクタ４５ａとの接触部付近に溜まる枝梗等の塵埃に対してそれらを吹き飛ばしうる程度に形成する。
【００３３】
集穀室２７の後側は、図１２の集穀室部の背面図のように、リヤパネル５１によって画成され、このリヤパネル５１に設けた熱風ダクト５３を遠赤外線照射体４７から左右の集穀室２７ａ，２７ａに連通する他、左右の操出装置４３，４３の駆動部４３ａ，４３ａ等が配置される。
【００３４】
このようにリヤパネル５１は、集穀室２７の後側を構成するとともに、同リヤパネル５１には、図１３の要部拡大図に示すように、左右の操出装置４３、４３に近接する範囲に内外を連通する背部通気孔群５５をそれぞれ形成する。背部通気孔群５５は、遠赤外線照射体４７からの風により巻き上げられて各プロテクタ４５ａの隅に溜まる枝梗を吹き飛ばしうる程度に形成する。
【００３５】
上記構成の穀物乾燥機の集穀室２７は、各操出装置４３から繰り出される穀粒を傾斜ガイド４５，４５に受けつつ、遠赤外線照射体４７から供給される熱風を乾燥部２５に供給する。このとき、リヤパネル５１に設けた熱風ダクト５３を介して左右の集穀室２７ａ，２７ａに熱風が送られるとともに、上記のようにフロントパネル４１とリヤパネル５１とによって集穀室２７を構成することにより、フロントパネル４１の左右の上部通気孔群４９、下部通気孔群４９ａおよびリヤパネル５１の背部通気孔群５５からそれぞれ外気が吸引供給される。
【００３６】
フロントパネル４１の上部通気孔群４９は、主として側部の集穀室２７ａに供給される熱風ダクト５３からの供給量を補うことにより、操出装置４３の下方からの熱風の回り込みが抑えられので、操出装置４３から繰り出される穀粒中の塵埃の巻き上げを回避することができる。下部通気孔群４９ａは、吸引した外気の流れにより、フロントパネル４１とプロテクタ４５ａの接触部に堆積する塵埃を吹き払う作用を有し、熱風ダクト５３から側部の集穀室２７ａのフロントパネル４１の方向に吐出される熱風に伴う塵埃の滞留を防止することができる。リヤパネル５１の背部通気孔群５５は、リヤパネル５１側に堆積する塵埃を吹き払う作用を有し、遠赤外線照射体４７からリヤパネル５１側に吐出される熱風に伴う塵埃の滞留を防止することができる。
【図面の簡単な説明】
【図１】本発明に係る穀物乾燥機における乾燥風吸引用斜流ファンの縦断面図
【図２】図１の斜流ファンの回転側の正面図
【図３】回転側の拡大縦断面図
【図４】接続プレートの部分プレートの展開図（ａ）とその構成側面図（ｂ）
【図５】接続プレートと羽根との接続部を示す斜視図
【図６】斜流ファンの具体的な適用態様に係る穀物乾燥機の縦断側面図
【図７】穀物乾燥機の断面正面図
【図８】遠赤外線発生装置の透視斜視図
【図９】張棒と壁との接続部の分解斜視図
【図１０】図９の接続部の断面図
【図１１】フロントパネルの要部拡大図
【図１２】穀物乾燥機の集穀室部の背面図
【図１３】図１２のリヤパネルの要部拡大図
【符号の説明】
１  穀物乾燥機における乾燥風吸引用斜流ファン
３  ケーシング
３ａ  テーパ部
７ａ  ハブ
７  回転軸
９  羽根
９ａ  折曲部
９ｂ  抜穴
１１  接続プレート
１１ａ  部分プレート
１３  抜穴
１３ａ  抜穴
２１  穀物乾燥機
２５  乾燥部
２５ａ  排気ダクト
３５  係止部材
３７  張棒
４１  フロントパネル
４９  上部通気孔群
４９ａ  下部通気孔群
５１  リヤパネル
５５  背部通気孔群
【図１】
2004257576.tif 000003
【図２】
2004257576.tif 000004
【図３】
2004257576.tif 000005
【図４】
2004257576.tif 000006
【図５】
2004257576.tif 000007
【図６】
2004257576.tif 000008
【図７】
2004257576.tif 000009
【図８】
2004257576.tif 000010
【図９】
2004257576.tif 000011
【図１０】
2004257576.tif 000012
【図１１】
2004257576.tif 000013
【図１２】
2004257576.tif 000014
【図１３】
2004257576.tif 000015